(57)【特許請求の範囲】
【請求項１】
蓋と容器本体からなり、前記蓋と前記容器本体は、各々の後端に設けられたヒンジ機構によって互いに接続され、各々の前端に設けられた係合機構によって互いに固定される薄型容器であって、
前記係合機構は、前記蓋の内側面の前端に設けられたフックの凸部と、前記容器本体の前端に設けられた係合部とが互いに係合する機構であり、
前記フックは、前記蓋の内側面から下方に延伸し、互いに平行に配置された２つの壁、２つの前記壁の間に位置する傾斜面、および、前記傾斜面の先端に形成された前記凸部から構成され、
前記傾斜面は、前記蓋の前端に設けられた前壁から、前記薄型容器の内側に向かって斜め下に延伸するように形成されており、
前記傾斜面には、前記傾斜面を貫通する少なくとも１つの開口が設けられていることを特徴とする薄型容器。
【請求項２】
前記開口は、前記壁と直交する方向に延伸した形状であることを特徴とする請求項１に記載の薄型容器。
【請求項３】
前記開口は、前記壁と平行に延伸する形状で２つ設けられ、２つの前記開口が前記傾斜面の先端側で解放されたスリット形状であることを特徴とする請求項１に記載の薄型容器。
【請求項４】
前記傾斜面は部分的に厚みが薄くなっていることを特徴とする請求項１〜３のいずれか１項に記載の薄型容器。
【請求項５】
前記開口は、前記壁と平行に延伸する形状の２つの部分と、前記２つの部分を互いに接続する部分とからなる略コの字状であり、
略コの字状に形成された前記開口によって前記傾斜面は、前記壁および前記前壁と接続された第１の部分と、前記凸部が形成された第２の部分に分離され、前記第２の部分は前記蓋の内側面から下方に延伸する支持壁によって支持されていることを特徴とする請求項１に記載の薄型容器。
【発明の詳細な説明】
【技術分野】
【０００１】
本発明は、コンパクト等の薄型容器に関する。
【背景技術】
【０００２】
化粧料容器の１つであるコンパクトのような薄型容器は、蓋と容器本体からなり、前記蓋を閉じた状態で前記容器本体に固定するためのフックが前記蓋に一体成形されている（特許文献１，２参照）。コンパクトなどの薄型容器は、バッグなどに入れて持ち運ぶことが多いことから、持ち運ぶ時にバッグの中などで蓋が開かないように、蓋と容器本体との係合を強固にすることが求められている。
【先行技術文献】
【特許文献】
【０００３】
【特許文献１】特許第４５１４８６６号公報
【特許文献２】特開２００５−０４６５４７号公報
【特許文献３】特許第３９６７０７２号公報
【特許文献４】特許第４０３０６９８号公報
【特許文献５】特許第４１２８００２号公報
【特許文献６】実用新案登録２５９９９１８号公報
【発明の概要】
【発明が解決しようとする課題】
【０００４】
前記薄型容器において蓋と容器本体との係合を強固にした場合、蓋を開閉するためにはある程度の力が必要となり、蓋の開閉をスムーズに行うことが難しくなる。また、蓋を開閉する際にフックに軋みが生じて音が生じるという問題がある。このような蓋の開閉時の音は、開閉時の蓋のフックが、上下に移動しながら、係合を解除するために水平方向にも変形することによって生じている。
【０００５】
このような蓋の開閉時の音を軽減する方法として、容器本体に別途の弾性部材設ける構造を用いた容器が存在する（特許文献３〜６）しかしながら、容器本体に別途の弾性部材を設ける方法では、容器本体の構造が複雑になり、かつ、製造コストが増加するという問題がある。そこで、本発明は、新たな別途の部材を設けることなく、スムーズに開閉可能であり、かつ開閉音を低減することが可能な薄型容器を提供することを目的とする。
【課題を解決するための手段】
【０００６】
本発明の薄型容器は、蓋と容器本体からなり、前記蓋と前記容器本体は、各々の後端に設けられたヒンジ機構によって互いに接続され、各々の前端に設けられた係合機構によって互いに固定される薄型容器であって、前記係合機構は、前記蓋の内側面の前端に設けられたフックの凸部と、前記容器本体の前端に設けられた係合部とが互いに係合する機構であり、前記フックは、前記蓋の内側面から下方に延伸し、互いに平行に配置された２つの壁、２つの前記壁の間に位置する傾斜面、および、前記傾斜面の先端に形成された前記凸部から構成され、前記傾斜面は、前記蓋の前端に設けられた前壁から、前記薄型容器の内側に向かって斜め下に延伸するように形成されており、前記傾斜面には少なくとも１つの開口が設けられていることを特徴とする。
【０００７】
前記開口は、前記壁と直交する方向に延伸した形状、または、前記開口を、２つの前記壁と前記傾斜面との接続部分にそれぞれ設け、２つの前記開口が前記傾斜面の先端側で解放されたスリット形状とすることができ、そして、前記傾斜面を部分的に厚みを薄くすることも可能である。
【０００８】
さらに、スリット形状の２つの前記開口を互いに接続するさらなる開口を形成することで、前記開口は略コの字状に形成され、略コの字状に形成された前記開口によって前記傾斜面は、前記壁および前記前壁と接続された第１の部分と、前記凸部が形成された第２の部分に分離され、前記第２の部分は前記蓋の内側面から下方に延伸する支持壁によって支持されている構造とする。
【発明の効果】
【０００９】
本発明の薄型容器は、蓋と容器本体からなり、前記蓋と前記容器本体は、各々の後端に設けられたヒンジ機構によって互いに接続され、各々の前端に設けられた係合機構によって互いに固定される薄型容器であって、前記係合機構は、前記蓋の内側面の前端に設けられたフックの凸部と、前記容器本体の前端に設けられた係合部とが互いに係合する機構であり、前記フックは、前記蓋の内側面から下方に延伸し、互いに平行に配置された２つの壁、２つの前記壁の間に位置する傾斜面、および、前記傾斜面の先端に形成された前記凸部から構成され、前記傾斜面は、前記蓋の前端に設けられた前壁から、前記薄型容器の内側に向かって斜め下に延伸するように形成されており、前記傾斜面には少なくとも１つの開口が設けられていることにより、蓋を開閉する際に前記フックが変形し易くなってスムーズな開閉動作を実現し、軋みが生じ難くなることで蓋の開閉音を低減することが可能となり、従来の容器のような別途の弾性部材が不要となることで製造コストを低減させることが可能となる。
【００１０】
そして、前記開口の形状を、前記壁と直交する方向に延伸した形状とする、あるいは、前記開口を、２つの前記壁と前記傾斜面との接続部分にそれぞれ設け、２つの前記開口が前記傾斜面の先端側で解放されたスリット形状とする、あるいは、スリット形状の２つの前記開口を互いに接続するさらなる開口を形成することで、略コの字状とすることにより、あるいは、前記傾斜面の一部の厚みを薄くすることにより、前記フックをより変形し易くすることで、蓋をよりスムーズに開閉することが可能となり、開閉時の音もより低減することが可能となる。
【図面の簡単な説明】
【００１１】
【図１】本発明の第１の実施形態の薄型容器の断面図であり、（ａ）が蓋を閉じた状態の断面図であり、（ｂ）が蓋を開けた状態の断面図である。
【図２】第１の実施形態における蓋のフックの拡大断面図である。
【図３】第１の実施形態における蓋の斜視図である。
【図４】第１の実施形態における蓋のフックの拡大平面図である。
【図５】第１の実施形態における蓋のフックの拡大斜視図である。
【図６】本発明の第２の実施形態の薄型容器の断面図である。
【図７】第２の実施形態における蓋のフックの拡大断面図である。
【図８】第２の実施形態における蓋のフックの拡大平面図である。
【図９】第２の実施形態における蓋のフックの拡大斜視図である。
【図１０】本発明の第３の実施形態の薄型容器の断面図である。
【図１１】第３の実施形態における蓋のフックの拡大断面図である。
【図１２】第３の実施形態における蓋のフックの拡大平面図である。
【図１３】第３の実施形態における蓋のフックの拡大斜視図である。
【発明を実施するための形態】
【００１２】
本発明の薄型容器１について図を用いて以下に詳細に説明する。図１が本発明の第１の実施形態の薄型容器１の断面図であり、図２が蓋２のフック４の拡大断面図、図３が蓋２の斜視図、図４が蓋２のフック４の拡大平面図、図５が蓋２のフック４の拡大斜視図である。
【００１３】
本発明の第１の実施形態の薄型容器１は、図１に示すように、化粧料等を収容する収容部７を有する容器本体３および前記容器本体３の収容部７を閉じるための蓋２からなる。前記蓋２および前記容器本体３は、それぞれ金型内に樹脂を注入して成形する射出成形によって成形された後、前記蓋２と前記容器本体３は、前記蓋２および前記容器本体３の後端に設けられたヒンジ機構であるヒンジ８によって互いに接続されており、前記蓋２がヒンジ８を中心に、図１（ｂ）に矢印で示すように回動することで前記薄型容器１は開閉される。
【００１４】
前記薄型容器１は、図１に示すように、前記蓋２を閉じた時に前記蓋２を前記容器本体３に固定するための係合機構を前記蓋２の前端および前記容器本体３の前端に有する。前記係合機構は、前記蓋２の前端に設けたフック４と、前記容器本体３の前端に設けた係合部６とによって構成され、前記フック４と前記係合部６とが互いに係合される。
【００１５】
図２に示すように、前記蓋２と前記フック４が一体成形されており、前記フック４は、図４，５に示すように、互いに平行に配置された２つの壁１１、２つの前記壁１１の間に位置し、２つの前記壁１１を接続する傾斜面１２、および、前記傾斜面１２の先端に形成された前記凸部１３から構成される。前記壁１１は、前記蓋２の内側面から垂直に下方に延伸して形成され、かつ、前記蓋２の前端に設けられた垂直な前壁９と接続されるように所定の間隔で形成されている。
【００１６】
前記傾斜面１２は、前記前壁９から前記薄型容器１の内側に向かって斜め下に延伸するように形成されており、前記傾斜面１２の先端の垂直な面に、断面が略台形状の前記凸部１３が形成されている。そして、前記傾斜面１２には、１つの開口１４が前記傾斜面１２を上下に貫通するように設けられている。前記開口１４は、前記傾斜面１２の先端よりの位置に、図４に示すように、前記壁１２と直交する方向に延伸した形状で形成されている。前記開口１４の延伸方向の長さは、図４に示すように、前記凸部１３の長さより大きくなっている。
【００１７】
前記係合部６は、前記容器本体３の前端の壁を略コの字状の平面形状に形成し、前記略コの字状の空間内を水平方向に摺動可能に配置されたフックピース１７、および、略コの字状の壁に前記フックピース１７の方へと水平方向に突出するように形成された凸部１５を含み、前記フック４の凸部１３が前記係合部６の凸部１５を乗り越えて下方に移動し、前記係合部６の凸部１５と係合することによって、前記フック４と前記係合部６の係合が行われる。前記係合部６の構造は特に限定するものではなく、前記フック４の凸部１３が係合できる構造であればよく、例えば、前記フックピース１７を用いないで、前記容器本体３の前端の壁に凹部を設けて、前記フック４の凸部１３が前記凹部に嵌合される構造とすることも可能である。
【００１８】
前記容器本体３には、１つの収容部７を設けているが、その数および形状は、収容する物に応じて適宜変更可能であり、例えば、化粧料を収容する化粧料収容部と、化粧用具を収容する化粧用具収容部の２つの収容部を設けることも可能である。
【００１９】
前記蓋２には、図３に示すように、前記フック４の左右から、前記蓋２の側面へと続くリブ１６が設けられており、前記リブ１６は蓋２の側面と一体となり、前記フック４と対向する位置に設けられているヒンジ部８へと繋がっている。前記リブ１６に囲まれた箇所には鏡等を設けることができる。
【００２０】
前記蓋２をヒンジ８を中心に回動させて前記容器本体３の上面と接触させて、前記フック４の凸部１３を前記係合部６の凸部１５を乗り越えて下方に移動させると、図１（ａ）に示すように、前記フック４が前記係合部６と係合し、前記蓋２は前記容器本体３に固定され、前記薄型容器１は閉じられた状態となる。そして、前記係合部６のフックピース１７を水平方向（図１（ａ）の場合、右方向）に押すと、前記フックピース１７が前記フック４の傾斜面１２と当接し、前記フック４に上方への力が作用し、前記フック４の凸部１３が前記係合部６の凸部１５を乗り超えて上方へと移動され、前記フック４と前記係合部６との係合が解除される。その後、前記蓋２を前記容器本体３から離れる方向へと回動させると、図１（ｂ）に示すように、前記薄型容器１は開いた状態となる。
【００２１】
このような前記蓋２の開閉動作を行う際に、前記フック４の凸部１３は、前記係合部６の凸部１５を乗り越える動作を行う。この時、前記フック４は上下に移動すると同時に水平方向（図１の場合、左側）に前記凸部１３に力が作用し変形する。このような前記蓋２の開閉時において、前記傾斜面１２に前記開口１４を設けることにより前記フック４の水平方向の剛性が低下していることから、前記フック４は、前記凸部１３が形成されている面が水平方向に湾曲するように変形し易くなっている。また、前記開口１４の長さが前記凸部１３の長さよりも大きいことも前記フック４の変形のし易さに貢献している。これらのことから本発明の薄型容器１は、前記蓋２の開閉時に前記フック４の軋みが少なくなり、スムーズに前記蓋２の開閉動作を行うことが可能になり、前記蓋２の開閉時の音を低減することが可能となる。
【００２２】
前記開口１４の平面形状は図４に示したものに限定するものではなく、適宜変更可能である。また、前記開口１４の個数についても１つに限定するのではなく、複数の開口１４を設けることも可能である。例えば、前記開口１４を互いに平行な２つの開口とすることも可能である。前記開口１４の形状および個数は、前記フック４の強度を確保する範囲内で前記フック４の水平方向の剛性を低減し変形し易くするものであればよい。
【００２３】
前記薄型容器１のフック４の全体の形状は、図に示すものに限定するものではなく、適宜、前記壁１１の高さあるいは厚み、前記傾斜面１２の傾斜角度あるいは厚み、前記凸部１３の断面形状を変更することで対応可能である。
【００２４】
次に、第２の実施形態の薄型容器２１について図を用いて以下に詳細に説明する。図６が本発明の第２の実施形態の薄型容器２１の断面図であり、図７が蓋２２のフック２４の拡大断面図、図８が蓋２２のフック２４の拡大平面図、図９が蓋２２のフック２４の拡大斜視図である。
【００２５】
本発明の第２の実施形態の薄型容器２１は、図６に示すように、収容部７を有する容器本体３、および、前記容器本体３の収容部７を閉じるための蓋２２からなる。前記蓋２２および前記容器本体３は、前記蓋２２および前記容器本体３の後端に設けられたヒンジ８によって互いに接続されており、前記蓋２２がヒンジ８を中心に回動することで前記薄型容器２１は開閉される。
【００２６】
前記薄型容器２１は、前記蓋２２を前記容器本体３に固定するための係合機構を前記蓋２２の前端および前記容器本体３の前端に有する。前記係合機構は、前記蓋２２の前端の内側面に設けたフック２４と、前記容器本体３の前端に設けた係合部６とによって構成され、前記フック２４と前記係合部６とが互いに係合される。
【００２７】
図７に示すように、前記蓋２２と前記フック２４が一体成形されており、図７〜９に示すように、前記フック２４は、互いに平行に配置された２つの壁３１、２つの前記壁３１の間に位置する傾斜面３２、および、前記傾斜面３２の先端に形成された前記凸部３３から構成される。前記壁３１は、前記蓋２２の内側面から垂直に下方に延伸して形成され、かつ、前記蓋２２の前端に設けられた垂直な前壁２９から後方へと延伸するように所定の間隔で形成されている。
【００２８】
前記傾斜面３２は、図７に示すように、前記前壁２９から前記薄型容器２１の内側に向かって斜め下に延伸するように形成されており、前記傾斜面３２の先端の垂直な面に、断面が略台形状の前記凸部３３が形成されている。そして、前記傾斜面３２には、２つの開口３４が、図８に示すように、前記壁３１と平行に延伸する形状で前記壁３１から少し離れた位置に２つ設けられている。２つの前記開口３４は、前記傾斜面３２の先端側で解放されたスリット形状とする。そして、２つの前記開口３４の間に前記凸部３３が位置する。スリット形状の２つの前記開口３４を設けることにより、前記傾斜面３２は前記壁３１による拘束が軽減されて変形し易くなる。
【００２９】
そして前記傾斜面３２は、図７に示すように、前記蓋２２を閉じた時に下側となる面にくぼみ３５を設けることで部分的に厚みを薄くしている。前記蓋２２の開閉時に負荷が加わる場所である前記傾斜面３２の根元部分および凸部３３が設けられた先端部は、厚みを厚くしている。このように、前記傾斜面３２の厚みを部分的に薄くすることで、前記傾斜面３２はさらに変形し易くなる。
【００３０】
前記開口３４のスリット形状は、長さおよび幅は適宜変更可能である。また、前記傾斜面３２に設けたくぼみについても形状、大きさおよび配置する場所は適宜変更可能であり、配置場所については、例えば前記傾斜面３２の反対側の面に形成することも可能である。また、前記傾斜面３２の厚みを部分的に薄くするものであれば、くぼみに限定するものでもなく他の手段を用いることも可能である。いずれにせよ、スリットの形状および前記傾斜面３２の厚みを部分的に薄くする手段については、前記フック２４の強度を確保する範囲内で前記フック２４の水平方向の剛性を低減し変形し易くするものであればよい。
【００３１】
前記係合部６は、前記容器本体３の前端に水平方向に摺動可能に配置されたフックピース１７、および、前記フックピース１７の方へと水平方向に突出するように形成された凸部１５を含み、前記フック２４の凸部３３が前記係合部６の凸部１５を乗り越えて下方に移動し、前記係合部６の凸部１５と係合することによって、前記フック２４と前記係合部６の係合が行われる。前記容器本体３には、少なくとも１つの収容部７を設けて、化粧料、化粧用具などを収容する。前記蓋２２には、鏡などを配置するためのリブ３６を設けている。
【００３２】
前記蓋２２の開閉動作時に前記フック２４は上下に移動すると同時に水平方向（図６の場合、左側）に前記凸部３３に力が作用し変形する。この時、前記傾斜面３２は、２つの前記開口３４によって、２つの前記壁３１によって拘束される力が弱まっており、前記開口３４の間に位置する前記傾斜面３２の一部分は変形し易くなっており、さらに、前記開口３４の間に位置する前記傾斜面３２にはくぼみ３５によって厚みが薄くなる部分が形成されていることによってさらに変形し易くなっていることから、水平方向の力が前記フック２４に作用したとしても簡単に変形することができる。
【００３３】
その結果、本発明の薄型容器２１は、前記蓋２２の開閉時の軋みが大幅に低減され、スムーズに前記蓋２２の開閉動作を行うことが可能になり、前記蓋２２の開閉時の音を大幅に低減することが可能となる。
【００３４】
本実施形態の薄型容器２１では、前記傾斜面３２にくぼみ３５を設けて一部の厚みを薄くしたが、第１の実施形態の薄型容器１においても同様に傾斜面１２の厚みを部分的に薄くすることも可能である。
【００３５】
次に、第３の実施形態の薄型容器４１について図を用いて以下に詳細に説明する。図１０が本発明の第３の実施形態の薄型容器４１の断面図であり、図１１が蓋４２のフック４４の拡大断面図、図１２が蓋４２のフック４４の拡大平面図、図１３が蓋４２のフック４４の拡大斜視図である。
【００３６】
本発明の第３の実施形態の薄型容器４１は、図１０に示すように、収容部７を有する容器本体３、および、前記容器本体３の収容部７を閉じるための蓋４２からなり、前記蓋４２および前記容器本体３は、各々の後端に設けられたヒンジ８によって互いに接続されており、前記蓋４２がヒンジ８を中心に回動することで前記薄型容器４１は開閉される。
【００３７】
前記薄型容器４１は、前記蓋４２を前記容器本体３に固定するための係合機構を各々の前端に有する。前記係合機構は、前記蓋４２の前端の下面に設けたフック４４と、前記容器本体３の前端に設けた係合部６とによって構成され、前記フック４４と前記係合部６とが互いに係合される。
【００３８】
図１１〜１３に示すように、前記フック４４は、互いに平行に配置された２つの壁５１、２つの前記壁５１の間に位置する傾斜面５２、および、前記傾斜面５２の先端に形成された前記凸部５３から構成される。前記壁５１は、前記蓋４２の内側面から垂直に下方に延伸して形成され、かつ、前記蓋４２の前端に設けられた垂直な前壁４９から後方へと延伸するように形成されている。
【００３９】
前記傾斜面５２は、図１１に示すように、前記前壁４９から前記薄型容器４１の内側に向かって斜め下に延伸するように形成されているが、図１２に示すように、略コの字状の開口５４によって２つに分離されている。前記開口５４は、前記壁５１と平行に延伸する２つのスリット形状の開口を前記壁５１と直交する方向に延伸する開口によって接続した形状であり、これは、第２の実施形態における２つの開口３４を、第１の実施形態における１つの開口１４で接続した様な形状である。
【００４０】
前記開口５４によって前記傾斜面５２は、前記前壁４９および２つの前記壁５１と接続された第１の部分５７と、前記開口５４によって囲まれた第２の部分５８に分離されている。前記第２の部分５８に前記凸部５３が形成されている。そして、前記第２の部分５８を支持するための支持壁５９が、図１１に示すように、前記蓋４２の内側面から垂直に延伸するように形成されている。
【００４１】
図１２に示すように、略コの字状の前記開口５４によって、前記傾斜面５２において前記凸部５３が形成された前記第２の部分５８は、前記前壁４９および２つの前記壁５１から完全に分離されており、図１１に示すように、前記支持部５９によって支持される片持ち梁の形状となっていることから、前記凸部５３に力が作用するとより変形し易い構造となっている。
【００４２】
前記係合部６は、前記容器本体３の前端に水平方向に摺動可能に配置されたフックピース１７、および、前記フックピース１７の方へと水平方向に突出するように形成された凸部１５を含み、前記フック４４の凸部５３が前記係合部６の凸部１５を乗り越えて下方に移動し、前記係合部６の凸部１５と係合することによって、前記フック４４と前記係合部６の係合が行われる。前記容器本体３には、少なくとも１つの収容部７を設けて、化粧料、化粧用具などを収容する。前記蓋４２には、鏡などを配置するためのリブ５６を設けている。
【００４３】
前記蓋４２の開閉動作時に前記フック４４は上下に移動すると同時に水平方向（図１０の場合、左側）に前記凸部５３に力が作用し変形する。この時、図１１に示すように、前記傾斜面５２の第２の部分５８は前記支持壁５９と共に片持ち梁の形状を形成しており、片持ち梁の先端となる位置に前記凸部５３が位置していることによって、片持ち梁の先端に力が作用した状態となり、前記支持壁５９と前記傾斜面５２の第２の部分５８は容易に変形することになる。
【００４４】
その結果、本発明の薄型容器４１は、前記蓋４２の開閉時の軋みが大幅に低減され、スムーズに前記蓋４２の開閉動作を行うことが可能になり、前記蓋４２の開閉時の音を大幅に低減することが可能となる。
【００４５】
以上のように、本発明の薄型容器は、様々な形態の開口をフックの傾斜面に設けることで、蓋の開閉時の軋みを低減し、スムーズな開閉動作および開閉時の音の低減を実現する。また、従来の容器のように容器本体に別途の弾性部材を設けることなく、蓋と一体成形されるフックの傾斜面に開口を設けるだけであることから、製造コストも従来の容器よりも低減することが可能である。
【符号の説明】
【００４６】
１      薄型容器
２      蓋
３      容器本体
４      フック
６      係合部
７      収容部
８      ヒンジ
９      前壁
１１    壁
１２    傾斜面
１３    凸部
１４    開口
１５    凸部
１６    リブ
１７    フックピース
２１    薄型容器
２２    蓋
２４    フック
２９    前壁
３１    壁
３２    傾斜面
３３    凸部
３４    開口
３５    くぼみ
３６    リブ
４１    薄型容器
４２    蓋
４４    フック
４９    前壁
５１    壁
５２    傾斜面
５３    凸部
５４    開口
５６    リブ
５７    第１の部分
５８    第２の部分
５９    支持壁
【図１】
0006484006.tif 000002
【図２】
0006484006.tif 000003
【図３】
0006484006.tif 000004
【図４】
0006484006.tif 000005
【図５】
0006484006.tif 000006
【図６】
0006484006.tif 000007
【図７】
0006484006.tif 000008
【図８】
0006484006.tif 000009
【図９】
0006484006.tif 000010
【図１０】
0006484006.tif 000011
【図１１】
0006484006.tif 000012
【図１２】
0006484006.tif 000013
【図１３】
0006484006.tif 000014